【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
複数種類の図柄を可変表示する表示手段と、可変表示を停止させる停止操作手段とを備え、可変表示が停止したときの表示結果に応じて特典を付与可能な遊技機において、
複数の役のうちのいずれの役に当選したか否かを決定する役抽選を行う役抽選手段と、
前記役抽選の結果と前記停止操作手段への操作態様とに応じて図柄を停止する制御を行う停止制御手段と、
前記複数の役のうちの特定役および特別役各々について当選したか否かを決定する所定状態に制御する所定状態制御手段と、
前記所定状態において前記特定役に当選し、当該特定役を入賞させる特定表示結果が停止されることにより特定状態に制御する特定状態制御手段と、
前記特定役に当選してから前記特定表示結果が停止されるまでは当該特定役の当選を持ち越して、前記特別役について当選したか否かを決定しない持越状態に制御する持越状態制御手段と、
前記所定状態において前記特別役に当選し、当該特別役を入賞させる特別表示結果が停止されることにより、前記特定状態よりも遊技者にとって有利な特別状態に制御する特別状態制御手段と、
前記役抽選の結果が所定割合で特定結果となる第１割合期間と、前記役抽選の結果が前記所定割合よりも低い割合で前記特定結果となる第２割合期間とを含む複数の割合期間のいずれかに制御する割合期間制御手段とを備え、
前記所定状態制御手段は、前記特定役に当選した後においては前記特定状態が終了することにより前記所定状態に制御する手段を含み、
前記停止制御手段は、
前記持越状態における前記役抽選の結果が前記特定結果となった遊技においては、前記停止操作手段への操作態様にかかわらず前記特定結果を入賞させる表示結果を停止させる停止制御を行い、
前記持越状態における前記役抽選の結果が前記特定結果以外の所定の結果である遊技においては、前記停止操作手段への操作態様に応じて前記特定表示結果を停止させる停止制御を行い、
前記割合期間制御手段は、
前記特定状態が終了した後においては、前記第１割合期間および前記第２割合期間のうち、当該特定状態の制御前に制御されていた割合期間となるように制御し、
前記特別状態が終了した後においては、当該特別状態の制御前の割合期間にかかわらず、前記第１割合期間および前記第２割合期間のうちの予め定められた一の割合期間となるように制御する、遊技機。
【請求項２】
前記特定状態および前記特別状態のいずれかが終了して前記一の割合期間に制御された後において、当該一の割合期間中および当該一の割合期間において移行条件が成立することにより制御された前記第１割合期間および前記第２割合期間のうちの予め定められた一の割合期間とは異なる割合期間中に前記特別役および前記特定役のうち前記特別役に当選する割合は、前記特定状態が終了して前記第１割合期間および前記第２割合期間のうちの予め定められた一の割合期間とは異なる割合期間に制御された後において、前記第１割合期間および前記第２割合期間のうちの予め定められた一の割合期間とは異なる割合期間中に前記特別役および前記特定役のうち前記特別役に当選する割合よりも高い、請求項１に記載の遊技機。
【手続補正２】
【補正対象書類名】明細書
【補正対象項目名】０００８
【補正方法】変更
【補正の内容】
【０００８】
本発明のある局面に従う遊技機は、複数種類の図柄を可変表示する表示手段と、可変表示を停止させる停止操作手段とを備え、可変表示が停止したときの表示結果に応じて特典を付与可能な遊技機において、複数の役のうちのいずれの役に当選したか否かを決定する役抽選を行う役抽選手段と、前記役抽選の結果と前記停止操作手段への操作態様とに応じて図柄を停止する制御を行う停止制御手段と、前記複数の役のうちの特定役および特別役各々について当選したか否かを決定する所定状態に制御する所定状態制御手段と、前記所定状態において前記特定役に当選し、当該特定役を入賞させる特定表示結果が停止されることにより特定状態に制御する特定状態制御手段と、前記特定役に当選してから前記特定表示結果が停止されるまでは当該特定役の当選を持ち越して、前記特別役について当選したか否かを決定しない持越状態に制御する持越状態制御手段と、前記所定状態において前記特別役に当選し、当該特別役を入賞させる特別表示結果が停止されることにより、前記特定状態よりも遊技者にとって有利な特別状態に制御する特別状態制御手段と、前記役抽選の結果が所定割合で特定結果となる第１割合期間と、前記役抽選の結果が前記所定割合よりも低い割合で前記特定結果となる第２割合期間とを含む複数の割合期間のいずれかに制御する割合期間制御手段とを備え、前記所定状態制御手段は、前記特定役に当選した後においては前記特定状態が終了することにより前記所定状態に制御する手段を含み、前記停止制御手段は、前記持越状態における前記役抽選の結果が前記特定結果となった遊技においては、前記停止操作手段への操作態様にかかわらず前記特定結果を入賞させる表示結果を停止させる停止制御を行い、前記持越状態における前記役抽選の結果が前記特定結果以外の所定の結果である遊技においては、前記停止操作手段への操作態様に応じて前記特定表示結果を停止させる停止制御を行い、前記割合期間制御手段は、前記特定状態が終了した後においては、当該特定状態の制御前と同じ割合期間となるように制御し、前記特別状態が終了した後においては、当該特別状態の制御前の割合期間にかかわらず、前記第２割合期間となるように制御する。また、複数種類の図柄を可変表示する表示手段と、可変表示を停止させる停止操作手段とを備え、可変表示が停止したときの表示結果に応じて特典を付与可能な遊技機において、複数の役のうちのいずれの役に当選したか否かを決定する役抽選を行う役抽選手段と、前記役抽選の結果と前記停止操作手段への操作態様とに応じて図柄を停止する制御を行う停止制御手段と、前記複数の役のうちの特定役および特別役各々について当選したか否かを決定する所定状態に制御する所定状態制御手段と、前記所定状態において前記特定役に当選し、当該特定役を入賞させる特定表示結果が停止されることにより特定状態に制御する特定状態制御手段と、前記特定役に当選してから前記特定表示結果が停止されるまでは当該特定役の当選を持ち越して、前記特別役について当選したか否かを決定しない持越状態に制御する持越状態制御手段と、前記所定状態において前記特別役に当選し、当該特別役を入賞させる特別表示結果が停止されることにより、前記特定状態よりも遊技者にとって有利な特別状態に制御する特別状態制御手段と、前記役抽選の結果が所定割合で特定結果となる第１割合期間と、前記役抽選の結果が前記所定割合よりも低い割合で前記特定結果となる第２割合期間とを含む複数の割合期間のいずれかに制御する割合期間制御手段とを備え、前記所定状態制御手段は、前記特定役に当選した後においては前記特定状態が終了することにより前記所定状態に制御する手段を含み、前記停止制御手段は、前記持越状態における前記役抽選の結果が前記特定結果となった遊技においては、前記停止操作手段への操作態様にかかわらず前記特定結果を入賞させる表示結果を停止させる停止制御を行い、前記持越状態における前記役抽選の結果が前記特定結果以外の所定の結果である遊技においては、前記停止操作手段への操作態様に応じて前記特定表示結果を停止させる停止制御を行い、前記割合期間制御手段は、前記特定状態が終了した後においては、前記第１割合期間および前記第２割合期間のうち、当該特定状態の制御前に制御されていた割合期間となるように制御し、前記特別状態が終了した後においては、当該特別状態の制御前の割合期間にかかわらず、前記第１割合期間および前記第２割合期間のうちの予め定められた一の割合期間となるように制御する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】